(57)【要約】【課題】直列抵抗Ｒｓの大きなレーザに対して、再生パワー駆動電流にピークパワー駆動電流、バイアスパワー駆動電流を加算してパルス発光させた場合には、再生系電流源の駆動段トランジスタのコレクタ−ベース間容量Ｃｃｂとレーザの直列抵抗Ｒｓとにより形成されるローパスフィルタの影響が大きくなり、パルス発光波形の立ち上がり時間が劣化する。【解決手段】再生系電流源４１３は、再生パワー設定電流４０１を入力電流バッファ４１１で増幅した電流を、電流源に接続されたスイッチのオン・オフに応じて出力する。制御ブロック４１２は、記録系イネーブル信号４０５がＬｏのときに（すなわち再生のステータスのときに）再生系電流源をオンし、記録系イネーブル信号４０５がＨｉのときに（すなわち記録のステータスのときに）再生系電流源をオフするように、再生系イネーブル信号４０８を出力する。【選択図】  図４
2004259394.tif 000002
【特許請求の範囲】
【請求項１】
記録マークを形成するための所望の光強度でレーザ光源を変調する記録系電流源と、
記録マークを再生するための所望の光強度でレーザ光源を駆動する再生系電流源を備えたレーザ駆動装置であって、
記録を行う際には記録系電流源の電流出力を許可する記録イネーブル信号が入力され、
前記記録イネーブル信号が記録系電流源の電流出力を許可する状態のときには前記再生系電流源をオフすることを特徴とするレーザ駆動装置。
【請求項２】
再生状態から記録状態へ遷移するときに、まず前記再生系電流源をオフし、その後所定時間Ｔｏｆｆｒｗだけレーザを消光する消光動作の後に、前記記録系電流源をオンすることを特徴とする請求項１に記載のレーザ駆動装置。
【請求項３】
光ディスクの記録トラック上に設けられたレーザパワーを較正するためのレーザ制御領域において、前記消光動作を行うことを特徴とする請求項２に記載のレーザ駆動装置。
【請求項４】
再生系電流源と記録系電流源の電流出力を許可するレーザイネーブル信号が入力され、再生状態から記録状態へ遷移する際に、前記レーザイネーブル信号により所定時間Ｔｏｆｆｒｗだけ電流出力を禁止して消光動作するように制御され、前記消光動作中に前記記録イネーブル信号を切換えることを特徴とする請求項１に記載のレーザ駆動装置。
【請求項５】
光ディスクの記録トラック上に設けられたレーザパワーを較正するためのレーザ制御領域において、前記消光動作を行うことを特徴とする請求項４に記載のレーザ駆動装置。
【請求項６】
光スポットが前記レーザ制御領域内を通過する時間をＴａｐｃａｒｅａとすると、前記レーザを消光する前記所定時間ＴｏｆｆｒｗはＴａｐｃａｒｅａを超えない範囲に設定されることを特徴とする請求項３または５に記載のレーザ制御方法。
【請求項７】
レーザから実際に出射される光強度を検出するレーザパワー検出手段と、
前記レーザパワー検出手段のレーザパワー検出結果に基づいてレーザパワーを所望のパワーに制御するレーザパワー検出手段と、
前記レーザ駆動装置を備えたレーザ制御装置において、
前記消光動作中に前記レーザパワー検出手段のオフセットを較正することを特徴とする請求項３、５または６に記載のレーザ制御方法。
【請求項８】
記録状態から再生状態へ遷移するときに、まず前記記録系電流源をオフし、その後所定時間Ｔｏｆｆｗｒだけレーザを消光する消光動作の後に、前記再生系電流源をオンすることを特徴とする請求項１に記載のレーザ駆動装置。
【請求項９】
光ディスクの記録トラック上に設けられたレーザパワーを較正するためのレーザ制御領域において、前記消光動作を行うことを特徴とする請求項８に記載のレーザ駆動装置。
【請求項１０】
再生系電流源と記録系電流源の電流出力を許可するレーザイネーブル信号が入力され、記録状態から再生状態へ遷移する際に、前記レーザイネーブル信号により所定時間Ｔｏｆｆｗｒだけ電流出力を禁止して消光動作するように制御され、前記消光動作中に前記記録イネーブル信号を切換えることを特徴とする請求項１に記載のレーザ駆動装置。
【請求項１１】
光ディスクの記録トラック上に設けられたレーザパワーを較正するためのレーザ制御領域において、前記消光動作を行うことを特徴とする請求項１０に記載のレーザ駆動装置。
【請求項１２】
光スポットが前記レーザ制御領域内を通過する時間をＴａｐｃａｒｅａとすると、前記レーザを消光する前記所定時間ＴｏｆｆｗｒはＴａｐｃａｒｅａを超えないことを特徴とする請求項９または１１に記載のレーザ制御方法。
【請求項１３】
レーザから実際に出射される光強度を検出するレーザパワー検出手段と、
前記レーザパワー検出手段のレーザパワー検出結果に基づいてレーザパワーを所望のパワーに制御するレーザパワー検出手段と、
前記レーザ駆動装置を備えたレーザ制御装置において、
前記消光動作中に前記レーザパワー検出手段のオフセットを較正することを特徴とする請求項９、１１または１２に記載のレーザ制御方法。
【請求項１４】
再生系電流源と記録系電流源の電流出力を許可するレーザイネーブル信号が入力され、再生状態において、前記レーザイネーブル信号により所定時間Ｔｏｆｆｒだけ電流出力を禁止して消光動作するように制御されることを特徴とする請求項１に記載のレーザ駆動装置。
【請求項１５】
光ディスクの記録トラック上に設けられたレーザパワーを較正するためのレーザ制御領域において、前記消光動作を行うことを特徴とする請求項１４に記載のレーザ駆動装置。
【請求項１６】
光スポットが前記レーザ制御領域内を通過する時間をＴａｐｃａｒｅａとすると、前記レーザを消光する前記所定時間ＴｏｆｆｒはＴａｐｃａｒｅａを超えない範囲に設定されることを特徴とする請求項１５に記載のレーザ制御方法。
【請求項１７】
レーザから実際に出射される光強度を検出するレーザパワー検出手段と、
前記レーザパワー検出手段のレーザパワー検出結果に基づいてレーザパワーを所望のパワーに制御するレーザパワー検出手段と、
前記レーザ駆動装置を備えたレーザ制御装置において、
前記消光動作中に前記レーザパワー検出手段のオフセットを較正することを特徴とする請求項１５または１６に記載のレーザ制御方法。
【請求項１８】
再生系電流源と記録系電流源の電流出力を許可するレーザイネーブル信号が入力され、記録状態において、前記レーザイネーブル信号により所定時間Ｔｏｆｆｗだけ電流出力を禁止して消光動作するように制御されることを特徴とする請求項１に記載のレーザ駆動装置。
【請求項１９】
光ディスクの記録トラック上に設けられたレーザパワーを較正するためのレーザ制御領域において、前記消光動作を行うことを特徴とする請求項１８に記載のレーザ駆動装置。
【請求項２０】
光スポットが前記レーザ制御領域内を通過する時間をＴａｐｃａｒｅａとすると、前記レーザを消光する前記所定時間ＴｏｆｆｗはＴａｐｃａｒｅａを超えない範囲に設定されることを特徴とする請求項１５に記載のレーザ制御方法。
【請求項２１】
レーザから実際に出射される光強度を検出するレーザパワー検出手段と、
前記レーザパワー検出手段のレーザパワー検出結果に基づいてレーザパワーを所望のパワーに制御するレーザパワー検出手段と、
前記レーザ駆動装置を備えたレーザ制御装置において、
前記消光動作中に前記レーザパワー検出手段のオフセットを較正することを特徴とする請求項１９または２０に記載のレーザ制御方法。
【発明の詳細な説明】
【０００１】
【発明の属する技術分野】
本発明は、レーザ駆動装置およびレーザ制御方法に属するものである。
【０００２】
【従来の技術】
近年、コンピュータの補助記憶装置や、民生用ビデオレコーダなどの分野において、書き換え可能型の光ディスクの需要が高まってきている。光ディスクに記録マークを形成するために、一般にレーザ光源が用いられている。良好な記録マークを形成するためには、レーザをパルス発光させる必要がある。例えば、特許文献１に開示されているように、記録マークの形成にはレーザを記録ピークパワーと再生パワーとの間で光変調させ、記録マークの消去にはレーザを消去パワーでＤＣ発光させる。このようなレーザの光変調を実現するために、一般に図１に示すようなレーザ駆動装置が用いられている。図１の各部について説明する。
【０００３】
再生系電流源１１３は、再生パワー設定電流１０１を入力電流バッファ１１１で増幅した電流を出力し、レーザ光源１３０を発光させる。
【０００４】
記録系電流源１２０は、ボトム電流源１２１とバイアス電流源１２２とピーク電流源１２３から構成される。ボトム電流源１２１とバイアス電流源１２２とピーク電流源１２３は、各々ボトムパワー設定電流１０２とバイアスパワー設定電流１０３とピークパワー設定電流１０４を入力電流バッファ１１１で増幅した電流を、各々の電流源に接続されたスイッチのオン・オフに応じて出力する。
【０００５】
ボトム電流源１２１は、制御ブロックにより記録系イネーブル信号１０５がＨｉのときにオンするように制御される。バイアス電流源１２２は制御ブロックにより記録系イネーブル信号１０５がＨｉのときにのみ、バイアスパワー変調信号１０６に応じてオンするように制御される。ピーク電流源１２２は制御ブロックにより記録系イネーブル信号１０５がＨｉのときにのみ、ピークパワー変調信号１０７に応じてオンするように制御される。
【０００６】
以上の構成と動作により、記録時には、図２の出力電流にしめすように、変調信号に応じてピークパワー駆動電流、バイアスパワー駆動電流、ボトムパワー駆動電流を再生パワー駆動電流に加算することにより、レーザ光源１３０をパルス発光させる。
【０００７】
【特許文献１】
特開平８−２７９１５４号公報
【０００８】
【発明が解決しようとする課題】
図３にレーザの等価回路と再生系電流源と記録系電流源の等価回路を示す。レーザは直列抵抗ＲｓとインダクタＬと容量Ｃで表される。レーザの直列抵抗Ｒｓの抵抗値は、レーザ素子の種類や個体によりさまざまである。近年デジタルハイビジョン光ディスクレコーダの光源として注目されているＧａＮ系青紫色レーザは、従来の記録型ＤＶＤなどで用いられている赤色レーザに比べ直列抵抗Ｒｓの抵抗値が２倍以上大きいものが一般的である。また再生系電流源は、トランジスタと、トランジスタのコレクタ−ベース間容量Ｃｃｂで表される。したがって、レーザの直列抵抗Ｒｓとコレクタ−ベース間容量Ｃｃｂとでローパスフィルタを形成する。
【０００９】
再生系電流源に電流を流した状態では、コレクタ−ベース間容量Ｃｃｂが、一般的によく知られているミラー効果により増幅されて見える。したがって、ＧａＮ系青紫色レーザのように直列抵抗Ｒｓの大きなレーザに対して、再生パワー駆動電流にピークパワー駆動電流、バイアスパワー駆動電流を加算してパルス発光させた場合には、コレクタ−ベース間容量Ｃｃｂと直列抵抗Ｒｓにより形成されるローパスフィルタの影響が大きくなり、図２０（ｂ）に示すようにパルス発光波形の立ち上がり時間が劣化する。よって、記録速度を向上させる目的で記録データの周波数を高めた場合、十分なパルス発光波形の立ち上がり時間が得られないという課題が発生した。
【００１０】
本発明は、上述の課題を解決するものであり、再生系電流源によるコレクタ−ベース間容量Ｃｃｂと直列抵抗Ｒｓにより形成されるローパスフィルタの影響を小さくして十分なパルス発光波形の立ち上がり時間を得ることができるレーザ駆動装置を提供することを目的とする。
【００１１】
【課題を解決するための手段】
本発明は上述の目的を達成するために、記録マークを形成するための所望の光強度でレーザ光源を変調する記録系電流源と、記録マークを再生するための所望の光強度でレーザ光源を駆動する再生系電流源を備えたレーザ駆動装置であって、記録を行う際には記録系電流源の電流出力を許可する記録イネーブル信号が入力され、前記記録イネーブル信号が記録系電流源の電流出力を許可する状態のときには前記再生系電流源をオフする構成となっている。
【００１２】
また、再生状態から記録状態へ遷移するときに、まず前記再生系電流源をオフし、その後一定期間レーザを消光する消光期間の後に、前記記録系電流源をオンする構成となっている。
【００１３】
また、レーザから実際に出射される光強度を検出するレーザパワー検出手段と、前記レーザパワー検出手段のレーザパワー検出結果に基づいてレーザパワーを所望のパワーに制御するレーザパワー検出手段と、前記レーザ駆動装置を備えたレーザ制御装置において、前記消光期間中に前記レーザパワー検出手段のオフセットを較正する構成となっている。
【００１４】
また、記録状態から再生状態へ遷移するときに、まず前記記録系電流源をオフし、その後一定期間レーザを消光する消光期間の後に、その後前記再生系電流源をオンする構成となっている。
【００１５】
また、レーザから実際に出射される光強度を検出するレーザパワー検出手段と、前記レーザパワー検出手段のレーザパワー検出結果に基づいてレーザパワーを所望のパワーに制御するレーザパワー検出手段と、前記レーザ駆動装置を備えたレーザ制御装置において、前記消光期間中に前記レーザパワー検出手段のオフセットを較正する構成となっている。
【００１６】
【発明の実施の形態】
以下、本発明の好ましい実施の形態について図を用いて説明する。
【００１７】
（実施の形態１）
図４は、本発明の実施の形態１におけるレーザ駆動装置のブロック図である。図４の各部について説明する。
【００１８】
再生系電流源４１３は、再生パワー設定電流４０１を入力電流バッファ４１１で増幅した電流を、電流源に接続されたスイッチのオン・オフに応じて出力する。制御ブロック４１２は、記録系イネーブル信号４０５がＬｏのときに（すなわち再生のステータスのときに）再生系電流源をオンし、記録系イネーブル信号４０５がＨｉのときに（すなわち記録のステータスのときに）再生系電流源をオフするように、再生系イネーブル信号４０８を出力する。
【００１９】
記録系電流源４２０は、ボトム電流源４２１とバイアス電流源４２２とピーク電流源４２３から構成される。ボトム電流源４２１とバイアス電流源４２２とピーク電流源４２３は、各々ボトムパワー設定電流４０２とバイアスパワー設定電流４０３とピークパワー設定電流４０４を入力電流バッファ４１１で増幅した電流を、各々の電流源に接続されたスイッチのオン・オフに応じて出力する。
【００２０】
ボトム電流源４２１は、制御ブロックにより記録系イネーブル信号４０５がＨｉのときにオンするように制御される。バイアス電流源４２２は制御ブロックにより記録系イネーブル信号４０５がＨｉのときにのみ、バイアスパワー変調信号４０６に応じてオンするように制御される。ピーク電流源４２２は制御ブロックにより記録系イネーブル信号４０５がＨｉのときにのみ、ピークパワー変調信号４０７に応じてオンするように制御される。
【００２１】
以上の構成と動作により、記録時には、図５の出力電流にしめすように、変調信号に応じてピークパワー駆動電流、バイアスパワー駆動電流、ボトムパワー駆動電流を加算することにより、レーザ光源４３０をパルス発光させる。
【００２２】
したがって、本実施の形態１のレーザ駆動装置は、記録中に再生系電流源をオフさせるため、再生系電流源の駆動段トランジスタのコレクタ−ベース間容量Ｃｃｂは増幅されて見えない。よってコレクタ−ベース間容量Ｃｃｂとレーザの直列抵抗Ｒｓにより形成されるローパスフィルタの影響が小さくなり、レーザパルス発光波形の立ち上がり時間を改善することが可能である。
【００２３】
（実施の形態２）
本発明の実施の形態１により、レーザパルス発光波形の立ち上がり時間を改善することが可能である。しかしながら、再生系電流源のオン・オフ制御と記録系電流源のオン・オフ制御を１つの制御信号で行うと、内部回路の遅延関係によっては、再生から記録、または記録から再生へ遷移する場合に、再生系電流源と記録系電流源が同時にオンしてしまい、最悪レーザ光源の破損を招く場合ある。その一例を図６に示す。
【００２４】
この課題を解決するために、本発明の実施の形態２は、レーザ駆動装置の制御ブロックに遅延制御回路を設け、再生から記録への遷移時には、まず再生系電流源をオフさせ、一定時間経過した後に記録系電流源をオンし、記録から再生への遷移時には、まず記録系電流源をオフさせ、一定時間経過した後に再生系電流源をオンする構成で実施される。
【００２５】
図７は本発明の実施の形態２におけるレーザ駆動装置のブロック図である。図７の各部について、図４と異なる部分のみ説明する。制御ブロック７１２の内部において、遅延制御回路７１３は記録系イネーブル信号Ａから、再生系電流源のオン・オフを制御するための再生系イネーブル信号と、記録系電流源のオン・オフを制御するための記録系イネーブル信号Ｂを生成する。
【００２６】
図８に各制御信号のタイミングチャートを示す。再生から記録への遷移時においては、記録系イネーブル信号ＡがＬｏからＨｉに変化すると、遅延制御回路は直ちに再生系イネーブル信号をＨｉからＬｏに変化させ、一定時間経過したのち、記録系イネーブル信号ＢをＬｏからＨｉに変化させる。以上の動作により、再生から記録への遷移時において、まず再生系電流源がオフし、所定時間Ｔｏｆｆｒｗだけレーザが消光し、その後に記録系電流源がオンする。
【００２７】
記録から再生への遷移時においては、記録系イネーブル信号ＡがＨｉからＬｏに変化すると、遅延制御回路は直ちに記録系イネーブル信号をＨｉからＬｏに変化させ、一定時間経過したのち、再生系イネーブル信号ＢをＬｏからＨｉに変化させる。以上の動作により、記録から再生への遷移時において、まず記録系電流源がオフし、所定時間Ｔｏｆｆｗｒだけレーザが消光し、その後に再生系電流源がオンする。
【００２８】
したがって、本実施の形態２のレーザ駆動装置は、再生から記録への遷移時と、記録から再生の遷移時とのどちらの場合においても、再生系電流源と記録系電流源が同時にオンすることがないため、レーザの破損を回避することができる。
【００２９】
また、本実施の形態２のレーザ駆動装置は、レーザ駆動装置の内部に遅延制御回路を設けて再生系電流源と記録系電流源が同時にオンすることを回避する構成としたが、レーザ駆動装置を図９のブロック図に示す構成とし、外部からレーザイネーブル信号７０８を入力して、レーザイネーブル信号がＬｏのときには再生系電流源と記録系電流源とをオフする回路構成とし、図１０のタイミングチャートに示すように、再生から記録への遷移時においては、まずレーザイネーブル信号を消光期間ＴｏｆｆｒｗだけＬｏにして再生系電流源と記録系電流源とをオフさせ、この消光期間の間に記録系イネーブル信号ＡがＬｏからＨｉに変化させる構成とし、また記録から再生への遷移時においては、まずレーザイネーブル信号を消光期間ＴｏｆｆｗｒだけＬｏにして再生系電流源と記録系電流源とをオフさせ、この消光期間の間に記録系イネーブル信号ＡをＨｉからＬｏに変化させる構成としても、再生系電流源と記録系電流源が同時にオンすることを回避することが可能である。
【００３０】
また、本実施の形態２のレーザ駆動装置は、レーザ駆動装置の内部に遅延制御回路を設けて再生系電流源と記録系電流源が同時にオンすることを回避する構成としたが、レーザ駆動装置を図１１のブロック図に示す構成とし、外部からレーザイネーブル信号７０８を入力して、レーザイネーブル信号がＬｏのときには再生系電流源と記録系電流源とをオフする回路と、前記遅延制御回路とを組み合わせた回路構成とし、図１２のタイミングチャートに示すように、再生から記録への遷移時または記録から再生への遷移時において、レーザイネーブル信号による消光動作と前記遅延制御回路による消光動作とを組み合わせて運用する構成とすれば、より確実に再生系電流源と記録系電流源が同時にオンすることを回避することができる。
【００３１】
ちなみに、再生から記録への遷移時にレーザを消光する前記所定時間Ｔｏｆｆｒｗは、記録から再生への遷移時にレーザを消光する前記所定時間Ｔｏｆｆｗｒは、内部回路の温度変動などによりばらつく。再生系電流源と記録系電流源が同時にオンすることを確実に回避するためには、
Ｔｏｆｆｒｗ  ＞  １００［ｎｓ］
Ｔｏｆｆｗｒ  ＞  １００［ｎｓ］
とすることが好ましい。
【００３２】
また、本実施の形態２のレーザ駆動装置を、レーザ制御領域が設けられた光ディスクに対して適用する場合には、図１３に示すように、再生から記録への遷移時の消光動作を上記レーザ制御領域において行うようにすれば、データの再生特性や記録特性を損なわずに再生から記録への遷移が可能となる。消光動作をレーザ制御領域内で完了させるために、光スポットが前記レーザ制御領域内を通過する時間をＴａｐｃａｒｅａとすると、再生から記録への遷移時にレーザを消光する前記所定時間Ｔｏｆｆｒｗは、
Ｔｏｆｆｒｗ  ＜  Ｔａｐｃａｒｅａ
であることが好ましい。
【００３３】
また、本実施の形態２のレーザ駆動装置を、レーザ制御領域が設けられた光ディスクに対して適用する場合には、図１３に示すように、記録から再生への遷移時の消光動作を上記レーザ制御領域において行うようにすれば、データの再生特性や記録特性を損なわずに記録から再生への遷移が可能となる。消光動作をレーザ制御領域内で完了させるために、光スポットが前記レーザ制御領域内を通過する時間をＴａｐｃａｒｅａとすると、記録から再生への遷移時にレーザを消光する前記所定時間Ｔｏｆｆｗｒは
Ｔｏｆｆｗｒ  ＜  Ｔａｐｃａｒｅａ
であることが好ましい。
【００３４】
（実施の形態３）
本発明の実施の形態３は、レーザパワーを検出して、所望のパワーで発光するようにフィードバック制御を行うレーザパワー制御装置に、実施の形態２のレーザ駆動装置を適用し、前記レーザ駆動装置により発生するレーザの消光期間ＴｏｆｆｒｗとＴｏｆｆｗｒを利用して、レーザパワーの検出系にオフセットを較正する形態で実施される。図１４に本発明の実施の形態３におけるレーザパワー制御装置のブロック図を示す。図１４の各部について説明する。１０００はレーザ１０５０の光強度を検出し、電圧に変換するレーザパワー検出手段であり、受光素子１００２とＩ／Ｖアンプ１００１から構成される。レーザの光強度はレーザパワー検出手段１０００によりレーザパワー検出電圧１０１１としてレーザパワーコントローラ１０２０に出力する。レーザパワーコントローラ１０２０は、レーザパワーの目標値と前記レーザパワー検出電圧の目標値との誤差算出し、前記誤差をレーザ駆動装置への出力電流（再生パワー設定電流７０１、ボトムパワー設定電流７０２、バイアスパワー設定電流７０３、ピークパワー設定電流７０４）にフィードバックすることにより、レーザを所望のパワーで発光するように制御する。また、フォーマッタ１０３０は記録データに応じて記録系イネーブル信号Ａ７０５と、バイアスパワー変調信号７０６と、ピークパワー７０７をレーザ駆動装置１０４０に出力する。
【００３５】
次に実施の形態３の動作を図１５を用いて説明する。（ｉ）はレーザパワー検出電圧の例を示す。レーザパワー検出電圧は、受光素子１００２とＩ／Ｖアンプ１００１によりオフセットが発生し、レーザが消えている状態（すなわち０ｍＷ）のときにも基準電圧とはならない。したがって、レーザパワーコントローラ１０２０が基準電圧を０ｍＷとみなすと、レーザパワー検出に誤差が生じ、レーザパワーを正しく制御することができない。そこでレーザ駆動装置１０４０によりレーザが消光する期間ＴｏｆｆｒｗとＴｏｆｆｗｒにおいて、レーザパワー検出電圧を取得するようにすれば、０ｍＷのレベルを較正することができる。
【００３６】
したがって本実施の形態３のレーザパワー制御装置は、装置の電源変動や温度変動により、レーザパワー検出電圧にオフセットが生じた場合においても、適宜レーザ駆動装置の消光期間において０ｍＷのレベルを較正するため、正しくレーザパワーを制御することができる。
【００３７】
なお、本実施の形態３のレーザ制御方法では、再生状態から記録状態への遷移時における消光期間Ｔｏｆｆｒｗと、記録状態から再生状態への遷移時における消光期間Ｔｏｆｆｗｒにおいて検出系のオフセットを較正するとしたが、レーザ駆動装置を図１６のブロック図に示す構成とし、レーザ駆動装置１０４０にレーザイネーブル信号７０８を入力して、レーザイネーブル信号がＬｏのときには再生系電流源と記録系電流源とをオフする回路構成とし、図１７のタイミングチャートに示すように、再生状態において、光スポットがレーザ制御領域を通過する際に、必要に応じて消光動作を行うとしてもよい。この場合、レーザ制御領域において消光動作を行うので、再生特性を損なわないで、再生状態でのオフセットの較正が可能になる。よって再生パワーの検出精度を向上させることができる。消光動作をレーザ制御領域内で完了させるために、光スポットが前記レーザ制御領域内を通過する時間をＴａｐｃａｒｅａとすると、再生状態における消光期間Ｔｏｆｆｒは、
Ｔｏｆｆｒ  ＜  Ｔａｐｃａｒｅａ
とすることが好ましい。
【００３８】
また、本実施の形態３のレーザ制御方法では、再生状態から記録状態への遷移時における消光期間Ｔｏｆｆｒｗと、記録状態から再生状態への遷移時における消光期間Ｔｏｆｆｗｒにおいて検出系のオフセットを較正するとしたが、レーザ駆動装置を図１６のブロック図に示す構成とし、レーザ駆動装置１０４０にレーザイネーブル信号７０８を入力して、レーザイネーブル信号がＬｏのときには再生系電流源と記録系電流源とをオフする回路構成とし、図１８のタイミングチャートに示すように、記録状態において、光スポットがレーザ制御領域を通過する際に、必要に応じて消光動作を行うとしてもよい。この場合、レーザ制御領域において消光動作を行うので、記録特性を損なわないで、記録状態でのオフセットの較正が可能になる。よって記録パワーの検出精度を向上させることができる。消光動作をレーザ制御領域内で完了させるために、光スポットが前記レーザ制御領域内を通過する時間をＴａｐｃａｒｅａとすると、再生状態における消光期間Ｔｏｆｆｗは、
Ｔｏｆｆｗ＜  Ｔａｐｃａｒｅａ
とすることが好ましい。
【００３９】
また、本実施の形態３のレーザ制御方法では、再生状態から記録状態への遷移時における消光期間Ｔｏｆｆｒｗと、記録状態から再生状態への遷移時における消光期間Ｔｏｆｆｗｒにおいて検出系のオフセットを較正するとしたが、レーザ駆動装置を図１６のブロック図に示す構成とし、レーザ駆動装置１０４０にレーザイネーブル信号７０８を入力して、レーザイネーブル信号がＬｏのときには再生系電流源と記録系電流源とをオフする回路構成とし、図１９のタイミングチャートに示すように、光スポットがレーザ制御領域を通過する際に、再生状態における消光動作と、記録状態における消光動作と、再生から記録への遷移時における消光動作と、記録から再生への遷移時における消光動作とを必要に応じ組み合わせてオフセットを較正するものとしてもよい。この場合、レーザ制御領域において消光動作を行うので、再生特性や記録特性を損なわないで、オフセット較正の頻度が高めることができる。よってレーザパワーの検出精度を向上させることができる。
【００４０】
【発明の効果】
本実施の形態１のレーザ駆動装置は、記録中に再生系電流源をオフさせるため、再生系電流源の駆動段トランジスタのコレクタ−ベース間容量Ｃｃｂは増幅されて見えない。よってコレクタ−ベース間容量Ｃｃｂとレーザの直列抵抗Ｒｓにより形成されるローパスフィルタの影響が小さくなり、レーザパルス発光波形の立ち上がり時間を改善することが可能である。
【００４１】
本実施の形態２のレーザ駆動装置は、再生から記録への遷移時において、まず再生系電流源がオフし、一定時間Ｔｏｆｆｒｗだけレーザが消光し、その後に記録系電流源がオンする。記録から再生への遷移時において、まず記録系電流源がオフし、一定時間Ｔｏｆｆｗｒだけレーザが消光し、その後に再生系電流源がオンする。したがって、再生から記録への遷移時と、記録から再生の遷移時とのどちらの場合においても、再生系電流源と記録系電流源が同時にオンすることがないため、レーザの破損を回避することができる。
【００４２】
本実施の形態３のレーザパワー制御装置は、装置の電源変動や温度変動により、レーザパワー検出電圧にオフセットが生じた場合においても、適宜レーザ駆動装置の消光期間において０ｍＷのレベルを較正するため、正しくレーザパワーを制御することができる。
【図面の簡単な説明】
【図１】一般的なレーザ駆動装置の構成図
【図２】一般的なレーザ駆動装置における出力電流の配分を示す図
【図３】一般的なレーザ等価回路と一般的なレーザ駆動装置における再生系電流源の駆動段トランジスタの等価回路を示す図
【図４】本発明の実施の形態１におけるレーザ駆動装置の構成図
【図５】本発明の実施の形態１における出力電流波形を示す図
【図６】再生系電流源と記録系電流源が同時にオンする不具合を模式的に示した図
【図７】本発明の実施の形態２におけるレーザ駆動装置の構成図
【図８】本発明の実施の形態２における出力電流波形を示す図
【図９】本発明の実施の形態２における出力電流波形を示す図
【図１０】本発明の実施の形態２におけるレーザ制御装置の構成図
【図１１】本発明の実施の形態２における出力電流波形と、レーザパワー検出電圧を示す図
【図１２】本発明の実施の形態２における出力電流波形を示す図
【図１３】本発明の実施の形態２における出力電流波形を示す図
【図１４】本発明の実施の形態３におけるレーザ制御装置の構成図
【図１５】本発明の実施の形態３における出力電流波形と、レーザパワー検出電圧を示す図
【図１６】本発明の実施の形態３におけるレーザ制御装置の構成図
【図１７】本発明の実施の形態３における出力電流波形と、レーザパワー検出電圧を示す図
【図１８】本発明の実施の形態３における出力電流波形と、レーザパワー検出電圧を示す図
【図１９】本発明の実施の形態３における出力電流波形と、レーザパワー検出電圧を示す図
【図２０】発明が解決しようとする課題において、立ち上がり時間が劣化したパルス発光波形を模式的に示した図
【符号の説明】
４１１  入力電流バッファ
４１２  制御ブロック
４１３  再生系電流源
４２０  記録系電流源
４２１  ボトム電流源
４２２  バイアス電流源
４２３  ピーク電流源
４３０  レーザ光源
１０００  レーザパワー検出手段
１００１  Ｉ／Ｖアンプ
１００２  受光素子
１０２０  レーザパワーコントローラ
１０３０  フォーマッタ
１０４０  レーザ駆動装置
１０５０  レーザ光源
【図１】
2004259394.tif 000003
【図２】
2004259394.tif 000004
【図３】
2004259394.tif 000005
【図４】
2004259394.tif 000006
【図５】
2004259394.tif 000007
【図６】
2004259394.tif 000008
【図７】
2004259394.tif 000009
【図８】
2004259394.tif 000010
【図９】
2004259394.tif 000011
【図１０】
2004259394.tif 000012
【図１１】
2004259394.tif 000013
【図１２】
2004259394.tif 000014
【図１３】
2004259394.tif 000015
【図１４】
2004259394.tif 000016
【図１５】
2004259394.tif 000017
【図１６】
2004259394.tif 000018
【図１７】
2004259394.tif 000019
【図１８】
2004259394.tif 000020
【図１９】
2004259394.tif 000021
【図２０】
2004259394.tif 000022